(57)【要約】【課題】従来のくつ下は、多くは左右対称に作られている。また、足指の形状に合わせ左右非対称に作製し、足指の圧迫を防止するものも存在するが、これらは、靴を履く、靴と合わせる視点から作られたものではなく、靴を履いて生活する現状の中で、足と靴の接触により生じる様々な負担を解消しきれていない。【解決手段】靴を履いて足に負担のかかる箇所について、まず、歩行時に衝撃と圧迫のかかる踵、爪先、親指外側、小指外側の部位に起毛素材を編み込み衝撃と圧迫を軽減する。次に、足首、足指付根部の蒸れが発生しやすい部位には、ネット編みを行い通気性を高める。さらに、足底部位に対して銀繊維を編み込み、蒸れから生じる防臭、抗菌と摩擦から生じる静電気を抑止し、足裏の緊張も緩和する。また、歩行時の衝撃を分散する土踏まずの部位に対して、甲部から帯状に伸縮性の高いライクラ繊維を編み込み衝撃分散機能を補助することを可能とした。【選択図】図４
2014136857.tif 000002
【特許請求の範囲】
【請求項１】
くつ下編機によって筒編みして作製されるくつ下において、踵部と爪先親指部、及び親指部と小指部の側面部にループ編起毛素材を編込んで形成されていることを特徴とするくつ下。
【請求項２】
くつ下の爪先を除く足指部と、足首下部に網状編み製法を用いて形成される請求項１記載のくつ下。
【請求項３】
くつ下の足底部に帯状に純銀繊維を編込んだ請求項１又は請求項２記載のくつ下。
【請求項４】
足の中足部位に伸縮性の高い繊維素材を用いて、足裏部の湾曲した形状に沿った密着度を形成する請求項１又は請求項２又は請求項３記載のくつ下。
【請求項５】
くつ下編機によって筒編みして作製されるくつ下において、踵部と爪先親指部、及び親指部と小指部の側面部にループ網起毛素材を編込み、爪先を除く足指部と、足首下部は網状編み製法を用いて形成し、足底部には帯状に純銀繊維を編込み、さらに足の中足部位には伸縮性の高い繊維素材を用いて、足裏部の湾曲した形状に沿った密着度を形成するくつ下。
【発明の詳細な説明】
【技術分野】
【０００１】本発明は、靴を履いたときの足の負担を軽減するくつ下に関する。
【背景技術】
【０００２】一般的に、くつ下は、足の入口部から爪先部の方向に筒編した後、くつ下状の筒編部の甲部に形成された開口部の端部を逢着することにより得られる。それらは左右対称形に形成され、左右どちらの足にも履く事ができる。【０００３】上記くつ下から発展し、人の足の形状に爪先部の形状が近似するように、くつ下を履いたとき、親指が挿入される爪先部の親指側に厚みを増加して、その圧迫感を与えることを防止し得るくつ下も存在する。（特許文献１参照）【０００４】前記手法のくつ下にあって、その爪先部が親指部と他の指部とに分割されて成る足袋様のくつ下であって、親指が他の指よりも太い人の足の形状に近似するよう形成されていることを特徴とするものも開発される。
【先行技術文献】
【特許文献】
【０００５】
【特許文献１】特許第３３１６１８９号  公報
【発明の概要】
【発明が解決しようとする課題】
【０００６】従来のくつ下の発想は、足を保護する、足を装飾する衣類であり、多くは左右対称形に形成され、左右どちらの足にも履く事ができる。しかし、一般的には人の足は親指が他の指よりも太く小指側は細い非対称形である。そのため、左右対称形のくつ下を履いた場合、親指によってくつ下地が引っ張られて親指側、小指側ともに圧迫感が生じる。また、この状態で靴を履いた場合、靴の内側で接する親指側は特に傷み易くなる。【０００７】更にはそこから発展し、一般の人の足の形状に合わせ、足の親指側に厚みを持たせた左右非対称の形状を実現することにより、親指側圧迫感を防止する機能を付加したくつ下も存在する。【０００８】係るくつ下は足の保護、足の装飾を目的としたものから、その形状を左右非対称の足の形に合ったものを提供することにより、足指の圧迫感を防止すること主として作られている。【０００９】しかし、靴を販売する視点から見ると、実際に靴を履いた場合には指の圧迫感については更に細かな接点に注意が必要となる。特に大きな負担が掛かる部位としては、図１の１２親指の爪先部、図１の２０ａ親指第１関節外側、図１の２０ｂ小指第１関節外側、そして足の基点となる図２に示す１１の踵部である。また、上記の左右非対称のくつ下においては、その形状が親指側に偏って編まれているため、より親指の靴との接触が強くなり、つま先の親指部は傷みやすくなる。係る細部までの負荷を防止するくつ下を提供し、靴と足を負荷少なく結びつけることが課題の一つとなる。【００１０】靴を履いた場合、快適さを阻害する要因として、足の蒸れとそこから派生する臭いが課題となる。この解決には一般的には素材を薄く、網目を粗くし、通気性を高める必要が生じる。しかし、そのためには足の保護機能は低くなることとなる。また、図２に示すＵＶからＱＤに至る足の指間部は一番細菌が発生しやすい箇所であり、衛生的な問題は恒常的な課題となっている。【００１１】足本来の機能を考えるとき、図２のＳ−Ｔに至る足底部は身体全体の体重や歩行時などの衝撃を分散して足への負担を軽減する働きを担う。係る機能を重視しながら、上記機能を複合的に実現できるくつ下を提供することが健康靴を主として提供する販売業者の視点からは重要となる。
【課題を解決するための手段】
【００１２】本発明者等は前記課題を解決すべく検討を重ね、健康靴の販売業者の視点から靴を履いたときに生じる足の負荷を軽減しうる本発明に至った。まず、本発明は足が靴と接し、特に負担の大きい図１の２０ｃ親指爪先部、図１の２０ａ親指外側部、図１の２０ｂ小指外側部、図２に示す１１の踵部に対して歩行時の衝撃を和らげ、係る部位を保護する起毛素材を編みこむことにより、その衝撃を緩和することとした。【００１３】足の発汗から生じる蒸れの抑制に対応して、関節可動の大きい図１の２３ｃ足指関節部位と図１の２３ａ、２３ｂ足関節部位に加え、図２の２３ｄ足底指関節部位に対して排気性の高い網目素材を帯状に編み込むことにより、足背、足底の放熱通気、快適な足環境を保つこととした。【００１４】また、くつ下を着用し靴を履く場合、発汗から派生する湿度の高まりが細菌の発生繁殖を助長するが、本発明は、図２に示す１０ｂの足底の中足部位に銀繊維の帯を５ｍｍから７ｍｍの間隔で平行に縫いこむことで、銀の持つ特性であるプラス銀イオンの作用で密着度の高い足底から繁殖する細菌を取り除く。更に銀の他面特性である伝導性から摩擦による静電気を減らし、静電気が身体に与える緊張感を減らす効果をもたらすくつ下となる。【００１５】足の重要な機能である身体の体重や足にかかる衝撃を分散する図２に示す１０ｂの足底部においては、足底腱と足骨の動きを阻害せずにその機能を補える伸縮性の高い繊維Ｌｙｃｒａ（ライクラ）を図１のＧＮからＦＯに至る部分と図２のＳＴに至る中足部の素材に用い、さらにその特徴である肌ざわりの良さにより、足の負担を軽減することとした。
【発明の効果】
【００１６】本発明のくつ下は、係るくつ下を履いて靴を履くとき、実際の足の形状と足を保護する靴との形状の違いから生ずる足にかかる負担を減少するものである。立ち姿勢から歩行に移る中で、着地時に体重がかかる図２の１１の踵への衝撃緩和と、さらに前足部に体重が移る時に、足が左右へ広がる時に生じる図１の２０ａ親指外側および図１の２０ｂ小指外側への圧迫を肉厚の起毛素材により防止できる。また、着地から前方に進むための蹴り出し時に最も負荷のかかる図１および図２の２０ｃの親指のつま先にも起毛素材を編み込んでいるため、一連の歩行の中で最も負荷のかかる踵、親指外側、小指外側、つま先を全て保護することができる。【００１７】図１に示す２３ａ、２３ｂの足首関節の可動部位と、図１の２３ｃおよび図２の２３ｄの足指関節部位に合わせて編み込んだ網素材は、そこから発する熱や汗を外に逃がし、通気性をよくすることにより靴内での蒸れを抑える。【００１８】さらに、図２に示す１０ｂ足底部に等間隔に縫い込んだ銀繊維はその特性により、抗菌、防臭効果を発揮するとともに静電気を抑え、歩行等による足に緊張を和らげる。【００１９】また、歩行時の衝撃を緩和、分散するために重要な図１の２１ａと図２のＳ−Ｔ部分の足底部に対しては、腱や骨の動きを阻害しない収縮性の高い繊維ライクラを編み込むことによりサポート機能を高めている。
【図面の簡単な説明】
【００２０】
【図１】本発明の一例を正面から見た説明図
【図２】同裏面から見た説明図
【図３】同小指側面から見た説明図
【図４】同親指側面から見た説明図
【発明を実施するための形態】
【００２１】以下、本発明の実施の形態を図１から図４に基づいて説明する。本発明に係るくつ下はパソコン上で設計されたデザインを１４４針からなる丸編機により全自動にて作成されるものである。
【００２２】本発明は、くつ下を履き、靴を履いて行動した時に足にかかる負荷を軽減する４つの機能を、それぞれ負荷の多い部位に合わせて異なる素材を編み込む、または異なる編み方を実施することによって実現するくつ下である。
【００２３】図２において踵部１１からＵＶ位置までの２０ｄ、２０ｅの足裏部は歩行、走行時に多くの衝撃がかかる部位であり、かかる部分の衝撃を和らげ、保護をするために、シンカーによりループ編みを施し、起毛させることにより負担を軽減することとした。図２の２０ｃ親指下部においても、歩行の蹴り出し時に多くの負荷がかかることにより、保護を目的としたループ編みを実施している。
【００２４】同ループ編みの手法は図１の爪先部親指側の２０ｃ、図１と図４の親指外側の２０ａ、図１と図３の小指外側の２０ｂに対しても用いることとなる。かかる３つの部位は、一般的な人の足の形状と靴の形状との相違により部分的に足と靴が最も強く接する部位であり、過度の負荷により、爪先部では指先の圧迫、胼胝、鶏眼、親指外側においては外反母趾、小指外側では内反小趾の負担を軽減する。
【００２５】図１、および図３、図４において１０ｃの足首部位には、足先の底屈、背屈動作による関節稼働に対応して通気性を確保するために２３ａ、２３ｂの部位に細い糸と太い糸を二層の針にて編み立てる網目素材を組み込むこととする。
【００２６】同様に足の中で最も熱の籠りやすい各図の１５足指付根部においても、図１の２３ｃ足指上部から、図２の２３ｄ足裏部に至るまでを同様の網目素材として編み込むことにより靴内での足の通気性を高めることが可能となる。
【００２７】図２、図３、図４に示す２２ａから２２ｌは、図２の足裏部１０ｂ、図３、図４の側面から見た足裏接地部に対して等間隔に銀繊維を編み込んだものである。接地が頻繁で発汗の多い足裏全体に銀繊維を編み込むことにより、その特性として発汗による靴内での蒸れによって派生する細菌の増殖を抑え、不快な悪臭を軽減することとなる。また、他方の銀繊維の特徴として、靴内で靴とくつ下による摩擦によって生じる静電気の帯電を防止し、敏感な足裏から感じる緊張を和らげる効果をもたらす。
【００２８】図１の甲部１０ａ、図２の足裏部１０ｂのＳＴ位置にかけてライクラ糸を使用し丸編みを実施している。かかる部位に対して高い伸縮性とすぐれた触感を有するライクラ糸を使用することにより、足裏の衝撃緩和の働きをもつ土踏まず部位に対してその形状維持を補い、クッション性をサポートするとともに、伸縮性による圧迫感を糸のもつ優れた肌触りにより緩和し、快適性をもたらすこととなる。また、図２の足裏部の１０ｂにおいてはＳからＴ位置にかけての地面との接地部の多い２０ｅの部位に対して、ライクラ糸による編み込みにループ編みを加えた二重構造とし、足裏機能のサポートと保護の両機能を併せ持つものとする。
【００２９】以上の説明において本発明は、足と靴の接点となるくつ下を、靴を履く視点から捉え、より快適に歩行を実現できる機能性くつ下として実現したものである。
【符号の説明】
【００３０】１０  くつ下
１０ａ  甲部
１０ｂ  足裏側
１０ｃ  足首部
１１  踵部
１２  爪先部
１３  親指側
１４  小指側
１５  足指付根部
２０ａ、２０ｂ、２０ｃ、２０ｄ、２０ｅ  起毛素材部分
２１ａ、２１ｂ  ライクラ繊維編込部分
２２ａ、２２ｂ、２２ｃ、２２ｄ、２２ｅ、２２ｆ、２２ｇ、２２ｈ、２２ｉ、２２ｊ、２２ｋ、２２ｌ  銀繊維編込部分
２３ａ、２３ｂ、２３ｃ、２３ｄ  網目素材使用部分
【図１】
2014136857.tif 000003
【図２】
2014136857.tif 000004
【図３】
2014136857.tif 000005
【図４】
2014136857.tif 000006